(57)【要約】【課題】従来と比較して回転軸の延在方向に必要な距離を小さくすることができる開閉装置を提供すること。【解決手段】機器収納棚１００は、筐体１１０に対して固定される回転軸２１１を有し、扉１２０が筐体１１０に対して回転軸２１１を中心に回転可能となり、扉１２０が回転軸２１１の延在方向と略平行な方向に筐体１１０に対して移動させられることによって筐体１１０から取り外されるように、扉１２０の端部１２１及び筐体１１０を連結する連結部２００を備え、連結部２００は、扉１２０の端部１２１及び筐体１１０が連結された状態のときに扉１２０に対して固定される扉抜け防止金具２３０を有し、扉抜け防止金具２３０は、扉１２０が筐体１１０から取り外されるときに、筐体１１０に対して移動することを扉受け金具２１０との係合によって防止する位置に配置されるようにする。【選択図】　　　図１
2004092284.tif 000002
【特許請求の範囲】
【請求項１】
空間が形成される空間形成部材と、前記空間を開閉する開閉部材と、前記空間形成部材及び前記開閉部材の何れかに対して固定される回転軸を有し、前記開閉部材が前記空間形成部材に対して前記回転軸を中心に回転可能となり、前記開閉部材が前記回転軸の延在方向と略平行な方向に前記空間形成部材に対して移動させられることによって前記空間形成部材から取り外されるように、前記開閉部材の端部及び前記空間形成部材を連結する連結部とを備え、
前記連結部は、前記開閉部材の前記端部及び前記空間形成部材が連結された状態のときに前記空間形成部材及び前記開閉部材の何れかに対して固定される固定部材を有し、
前記固定部材は、前記開閉部材が前記空間形成部材から取り外されるときに、前記空間形成部材及び前記開閉部材のうち固定されない方に対して移動することを係合によって防止する位置に配置されることを特徴とする開閉装置。
【請求項２】
機器を収納する機器収納棚であることを特徴とする請求項１に記載の開閉装置。
【請求項３】
前記空間形成部材は、前記開閉部材が前記空間形成部材から取り外されるときに移動させられる方向とは略反対方向に自重によって付勢されるように、配置されることを特徴とする請求項１又は請求項２に記載の開閉装置。
【請求項４】
前記固定部材は、前記回転軸の延在方向と略直交する方向に挿入される締結部材によって固定されることを特徴とする請求項１から請求項３までの何れかに記載の開閉装置。
【請求項５】
前記開閉部材は、板状の部材であり、
前記締結部材は、前記空間を閉じた状態での前記開閉部材の面に略直交する方向に前記固定部材に挿入されることを特徴とする請求項４に記載の開閉装置。
【請求項６】
前記連結部は、前記固定部材が取り付けられ、前記空間形成部材及び前記開閉部材のうち前記固定部材が固定される方に取り付けられる固定取付部材を有することを特徴とする請求項１から請求項５までの何れかに記載の開閉装置。
【請求項７】
前記固定取付部材は、前記開閉部材が開かれたときに係合によって反発力を発生させる位置に配置され、前記反発力によって前記開閉部材の前記回転軸を中心とした回転を規制する複数の固定取付回転規制部を有し、
前記複数の固定取付回転規制部の少なくとも一部は、発生させる前記反発力の方向が互いに異なることを特徴とする請求項６に記載の開閉装置。
【請求項８】
前記連結部は、前記開閉部材が前記空間形成部材から取り外されるときに前記固定部材と係合し、前記空間形成部材及び前記開閉部材のうち前記固定部材が固定されない方に取り付けられる係合取付部材を有することを特徴とする請求項１から請求項５までの何れかに記載の開閉装置。
【請求項９】
前記係合取付部材は、前記開閉部材が開かれたときに係合によって反発力を発生させる位置に配置され、前記反発力によって前記開閉部材の前記回転軸を中心とした回転を規制する複数の係合取付回転規制部を有し、
前記複数の係合取付回転規制部の少なくとも一部は、発生させる前記反発力の方向が互いに異なることを特徴とする請求項８に記載の開閉装置。
【発明の詳細な説明】
【０００１】
【発明の属する技術分野】
本発明は、取り付け及び取り外しが可能な扉などの開閉部材を備えた開閉装置に関するものである。
【０００２】
【従来の技術】
従来、開閉装置として、図１７及び図１８に示すように、機器を収納する機器収納棚９００が知られている（例えば、特許文献１参照。）。
【０００３】
図１７及び図１８において、機器収納棚９００は、図示していない機器が収納される図示していない空間が形成される筐体９１０と、筐体９１０の空間を開閉する板状の扉９２０と、扉９２０の端部９２１に対向する位置に配置され、ネジ９３１及びネジ９３２によって筐体９１０に取り付けられる扉受け金具９３３と、扉９２０が筐体９１０に対して回転可能となるように、扉受け金具９３３を介して筐体９１０及び扉９２０の端部９２１を連結するネジ９３４とを備えている。
【０００４】
また、機器収納棚９００は、図示していないが、扉９２０の端部９２１に対向する端部９２２側にも、端部９２１側と同様に、筐体９１０にネジによって取り付けられる扉受け金具と、この扉受け金具を介して筐体９１０及び扉９２０の端部９２１を連結する回転軸としてのネジとを備えている。
【０００５】
なお、機器収納棚９００は、扉９２０の端部９２１が天井（図示していない。）側、端部９２２が床（図示していない。）側となるように床の上に設置されている。
【０００６】
そして、機器収納棚９００の使用者は、機器収納棚９００に収納された機器の保守などの作業を行うときに、扉９２０の端部９２１側に回転軸として設けられたネジ９３４と、扉９２０の端部９２２側に回転軸として設けられたネジとを取り外すことによって、筐体９１０から扉９２０の取り外しを行っていた。
【特許文献１】
実開平６−１６６８号公報（第１項、第１図）
【０００７】
【発明が解決しようとする課題】
しかしながら、上記従来の機器収納棚９００においては、回転軸の延在方向に、回転軸を取り外す作業をする空間を確保するための距離が必要であるという問題があった。
【０００８】
例えば、ネジ９３４に対して矢印９３４ａで示すネジ９３４の延在方向に、ドライバなどの工具でネジ９３４を取り外す作業をするための空間が必要であり、ドライバなどの工具でネジ９３４を取り外す作業をする空間を確保するための距離がネジ９３４と天井との間にない場合、筐体９１０から扉９２０を取り外す作業に支障が出ていた。
【０００９】
そこで、本発明は、従来と比較して回転軸の延在方向に必要な距離を小さくすることができる開閉装置を提供することを目的とする。
【００１０】
【課題を解決するための手段】
上記課題を解決するために、本発明の開閉装置は、空間が形成される空間形成部材と、前記空間を開閉する開閉部材と、前記空間形成部材及び前記開閉部材の何れかに対して固定される回転軸を有し、前記開閉部材が前記空間形成部材に対して前記回転軸を中心に回転可能となり、前記開閉部材が前記回転軸の延在方向と略平行な方向に前記空間形成部材に対して移動させられることによって前記空間形成部材から取り外されるように、前記開閉部材の端部及び前記空間形成部材を連結する連結部とを備え、前記連結部は、前記開閉部材の前記端部及び前記空間形成部材が連結された状態のときに前記空間形成部材及び前記開閉部材の何れかに対して固定される固定部材を有し、前記固定部材は、前記開閉部材が前記空間形成部材から取り外されるときに、前記空間形成部材及び前記開閉部材のうち固定されない方に対して移動することを係合によって防止する位置に配置される構成を有している。
【００１１】
この構成により、本発明の開閉装置は、開閉部材が空間形成部材から取り外されるときに回転軸自体が取り外されなくても良いので、従来と比較して回転軸の延在方向に必要な距離を小さくすることができる。
【００１２】
また、本発明の開閉装置は、機器を収納する機器収納棚である構成を有している。
【００１３】
この構成により、本発明の開閉装置は、収納する機器に対して保守などの作業が行われるときに開閉部材が空間形成部材から取り外されることがあるが、従来と比較して回転軸の延在方向に必要な距離を小さくすることができるので、従来の機器収納棚と比較して、床から天井までの距離が同一の空間に対して設置可能な大きさを大きくすることができる。
【００１４】
また、本発明の開閉装置は、前記空間形成部材は、前記開閉部材が前記空間形成部材から取り外されるときに移動させられる方向とは略反対方向に自重によって付勢されるように、配置される構成を有している。
【００１５】
この構成により、本発明の開閉装置は、開閉部材が空間形成部材から取り外される場合に、固定部材が取り外されただけで開閉部材が空間形成部材から脱落してしまうことを防止することができる。
【００１６】
また、本発明の開閉装置は、前記固定部材は、前記回転軸の延在方向と略直交する方向に挿入される締結部材によって固定される構成を有している。
【００１７】
この構成により、本発明の開閉装置は、締結部材が回転軸の延在方向と略直交する方向から取り外されることによって固定部材が取り外されるので、固定部材が回転軸の延在方向と略平行な方向に挿入される締結部材によって固定される場合と比較して、回転軸の延在方向に必要な距離を小さくすることができる。
【００１８】
また、本発明の開閉装置は、前記開閉部材は、板状の部材であり、前記締結部材は、前記空間を閉じた状態での状態での前記開閉部材の面に略直交する方向に前記固定部材に挿入される構成を有している。
【００１９】
この構成により、本発明の開閉装置は、開閉部材が開閉させられるために確保された空間を使用して締結部材の取り外しの作業が行われるので、締結部材が回転軸の延在方向と略直交し、開閉部材が閉じられたときの開閉部材の面に略直交しない方向に固定部材に挿入される場合と比較して、容易に締結部材が取り外されることができる。
【００２０】
また、本発明の開閉装置は、前記連結部は、前記固定部材が取り付けられ、前記空間形成部材及び前記開閉部材のうち前記固定部材が固定される方に取り付けられる固定取付部材を有する構成を有している。
【００２１】
この構成により、本発明の開閉装置は、固定部材が開閉部材又は空間形成部材に直接取り付けられずに、固定取付部材を介して取り付けられるので、開閉部材又は空間形成部材ではなく固定取付部材が、固定部材が取り付けられるための形状に形成されれば良く、固定部材が開閉部材又は空間形成部材に直接取り付けられる場合と比較して、開閉部材又は空間形成部材の形状を簡単にすることができる。
【００２２】
また、本発明の開閉装置は、前記固定取付部材は、前記開閉部材が開かれたときに係合によって反発力を発生させる位置に配置され、前記反発力によって前記開閉部材の前記回転軸を中心とした回転を規制する複数の固定取付回転規制部を有し、前記複数の固定取付回転規制部の少なくとも一部は、発生させる前記反発力の方向が互いに異なる構成を有している。
【００２３】
この構成により、本発明の開閉装置は、固定取付部材が、発生させる反発力の方向が互いに異なる複数の固定取付回転規制部を有するので、固定取付部材が一方向しか反発力を発生させずに開閉部材の回転軸を中心とした回転を規制する場合と比較して、固定取付部材が反発力を大きな面積で発生させることができ、固定取付部材が開閉部材の回転軸を中心とした回転を規制するときの固定取付部材の変形量を少なくすることができる。したがって、本発明の開閉装置は、固定取付部材が開閉部材の回転軸を中心とした回転を規制した後も、開閉部材が空間形成部材から取り外されるのを防止するための、固定取付部材に取り付けられた固定部材の係合を維持することができる。
【００２４】
また、本発明の開閉装置は、前記連結部は、前記開閉部材が前記空間形成部材から取り外されるときに前記固定部材と係合し、前記空間形成部材及び前記開閉部材のうち前記固定部材が固定されない方に取り付けられる係合取付部材を有する構成を有している。
【００２５】
この構成により、本発明の開閉装置は、開閉部材が空間形成部材から取り外されるときに固定部材が開閉部材又は空間形成部材に直接係合せずに、係合取付部材を介して係合するので、開閉部材又は空間形成部材ではなく係合取付部材が、固定部材が係合するための形状に形成されれば良く、固定部材が開閉部材又は空間形成部材に直接係合する場合と比較して、開閉部材又は空間形成部材の形状を簡単にすることができる。
【００２６】
また、本発明の開閉装置は、前記係合取付部材は、前記開閉部材が開かれたときに係合によって反発力を発生させる位置に配置され、前記反発力によって前記開閉部材の前記回転軸を中心とした回転を規制する複数の係合取付回転規制部を有し、前記複数の係合取付回転規制部の少なくとも一部は、発生させる前記反発力の方向が互いに異なる構成を有している。
【００２７】
この構成により、本発明の開閉装置は、係合取付部材が、発生させる反発力の方向が互いに異なる複数の係合取付回転規制部を有するので、係合取付部材が一方向しか反発力を発生させずに開閉部材の回転軸を中心とした回転を規制する場合と比較して、係合取付部材が反発力を大きな面積で発生させることができ、係合取付部材が開閉部材の回転軸を中心とした回転を規制するときの係合取付部材の変形量を少なくすることができる。したがって、本発明の開閉装置は、係合取付部材が開閉部材の回転軸を中心とした回転を規制した後も、開閉部材が空間形成部材から取り外されるのを防止するための、固定部材と係合取付部材との係合を維持することができる。
【００２８】
【発明の実施の形態】
以下、本発明の一実施の形態について、図面を用いて説明する。
【００２９】
まず、本実施の形態に係る開閉装置の構成について説明する。
【００３０】
図１から図５までにおいて、本実施の形態に係る開閉装置としての機器収納棚１００は、図示していない機器が収納される図示していない空間が形成される空間形成部材としての筐体１１０と、板金、樹脂材料又は木材で成形され、筐体１１０の空間を開閉する開閉部材としての板状の扉１２０と、扉１２０の端部１２１及び筐体１１０を連結する連結部２００と、扉１２０の端部１２１に対向する端部１２２及び筐体１１０を連結する連結部３００とを備えている。
【００３１】
また、機器収納棚１００は、扉１２０の端部１２１が天井（図示していない。）側、端部１２２が床（図示していない。）側となるように床の上に設置されており、扉１２０は矢印１２０ａの示す方向に自重によって付勢されている。
【００３２】
また、連結部２００及び連結部３００は、扉１２０が、図６に示すように矢印１２０ａの示す方向とは略反対方向である矢印１２０ｂの示す方向に筐体１１０に対して移動させられて、図７に示すように端部１２１側を支点として矢印１２０ｃの示す方向に筐体１１０に対して回転させられた後、図８に示すように矢印１２０ｄの示す方向に筐体１１０に対して移動させられることによって、筐体１１０から取り外されるように、扉１２０及び筐体１１０を連結している。
【００３３】
また、連結部２００は、図１から図４までに示すように、筐体１１０によって扉１２０を支持するための扉受け金具２１０を有している。扉受け金具２１０は、扉１２０が筐体１１０に形成される空間を開閉するために筐体１１０に対して回転するときの軸となる回転軸２１１を有し、穴２１２及び穴２１３が形成され、扉１２０の端部１２１に対向する位置に配置されて、穴２１２を介して筐体１１０に形成された図示していないネジ穴に挿入されるネジ２０１と、穴２１３を介して筐体１１０に形成された図示していないネジ穴に挿入されるネジ２０２とによって筐体１１０に取り付けられている。
【００３４】
ここで、矢印２１１ａで示す回転軸２１１の延在方向は、扉１２０が筐体１１０に取り付けられた状態のとき、扉１２０が筐体１１０から取り外されるときに筐体１１０に対して移動させられる矢印１２０ｂ（図６参照）の示す方向と略平行になるようになっている。
【００３５】
また、連結部２００は、扉受け金具２１０の回転軸２１１を回転可能に支持する軸受部２２１を有し、穴２２２、穴２２３、穴２２４及び穴２２５が形成され、穴２２２を介して扉１２０の端部１２１に形成されたネジ穴１２１ａに挿入されるネジ２０３と、穴２２３を介して扉１２０の端部１２１に形成されたネジ穴１２１ｂに挿入されるネジ２０４とによって扉１２０の端部１２１に取り付けられる扉取付金具２２０を有している。
【００３６】
また、連結部２００は、扉１２０が筐体１１０から抜け落ちてしまうのを防止するための扉抜け防止金具２３０を有している。扉抜け防止金具２３０は、ネジ穴２３１と、ネジ穴２３２と、扉受け金具２１０の回転軸２１１を通す溝２３３とが形成され、筐体１１０の空間を閉じた状態での扉１２０の面１２３に略直交する矢印１２３ａの示す方向に扉取付金具２２０の穴２２４を介してネジ穴２３１に挿入されるネジ（締結部材）２０５と、矢印１２３ａの示す方向に扉取付金具２２０の穴２２５を介してネジ穴２３２に挿入されるネジ（締結部材）２０６とによって扉取付金具２２０に取り付けられている。
【００３７】
ここで、扉抜け防止金具２３０は、扉１２０が如何なる開閉状態にあっても、扉１２０が筐体１１０から取り外されるために矢印１２０ｂ（図６参照）の示す方向に筐体１１０に対して移動させられるときに、扉受け金具２１０と係合することによって、扉１２０が筐体１１０に対して移動することを防止する位置に配置されている。
【００３８】
なお、扉抜け防止金具２３０は、図４に示すように、扉１２０の端部１２１及び筐体１１０が連結された状態のときに扉１２０に対して固定される固定部材を構成しており、扉受け金具２１０は、扉１２０が筐体１１０から取り外されるときに扉抜け防止金具２３０と係合し、扉抜け防止金具２３０が固定されない筐体１１０に取り付けられる係合取付部材を構成しており、扉取付金具２２０は、扉抜け防止金具２３０が取り付けられ、扉抜け防止金具２３０が固定される扉１２０に取り付けられる固定取付部材を構成している。
【００３９】
また、連結部３００は、図９から図１２までに示すように、筐体１１０によって扉１２０を支持するための扉受け金具３１０を有している。扉受け金具３１０は、扉１２０が筐体１１０に形成される空間を開閉するために筐体１１０に対して回転するときの軸となる回転軸３１１を有し、扉１２０及び筐体１１０が連結部３００によって連結された状態のときの回転軸３１１の延在方向である矢印３１１ａの示す方向と略直交する方向に離隔して配置される２つの穴３１２及び穴３１３が形成され、扉１２０の端部１２２に対向する位置に配置されて、穴３１２を介して筐体１１０に形成された図示していないネジ穴に挿入されるネジ３０１と、穴３１３を介して筐体１１０に形成された図示していないネジ穴に挿入されるネジ３０２とによって筐体１１０に取り付けられている。
【００４０】
ここで、矢印３１１ａで示す回転軸３１１の延在方向は、扉１２０が筐体１１０に取り付けられた状態のとき、扉１２０が筐体１１０から取り外されるときに筐体１１０に対して移動させられる矢印１２０ｂ（図６参照）の示す方向と略平行になるようになっている。
【００４１】
また、連結部３００は、扉受け金具３１０の回転軸３１１を回転可能に支持する軸受部３２１を有し、穴３２２、穴３２３、穴３２４及び穴３２５が形成され、穴３２２を介して扉１２０の端部１２２に形成された図示していないネジ穴に挿入される図示していないネジと、穴３２３を介して扉１２０の端部１２２に形成された図示していないネジ穴に挿入される図示していないネジとによって扉１２０の端部１２２に取り付けられる扉取付金具３２０を有している。
【００４２】
また、連結部３００は、扉１２０が筐体１１０から抜け落ちてしまうのを防止するための扉抜け防止金具３３０を有している。扉抜け防止金具３３０は、ネジ穴３３１と、ネジ穴３３２と、扉受け金具３１０の回転軸３１１を通す溝３３３とが形成され、筐体１１０の空間を閉じた状態での扉１２０の面１２３に略直交する矢印１２３ａの示す方向に扉取付金具３２０の穴３２４を介してネジ穴３３１に挿入されるネジ（締結部材）３０５と、矢印１２３ａの示す方向に扉取付金具３２０の穴３２５を介してネジ穴３３２に挿入されるネジ（締結部材）３０６とによって扉取付金具３２０に取り付けられている。
【００４３】
ここで、扉抜け防止金具３３０は、扉１２０が如何なる開閉状態にあっても、扉１２０が筐体１１０から取り外されるために矢印１２０ｂ（図６参照）の示す方向に筐体１１０に対して移動させられるときに、扉受け金具３１０と係合することによって、扉１２０が筐体１１０に対して移動することを防止する位置に配置されている。
【００４４】
なお、扉抜け防止金具３３０は、図１２に示すように、扉１２０の端部１２２及び筐体１１０が連結された状態のときに扉１２０に対して固定される固定部材を構成しており、扉受け金具３１０は、扉１２０が筐体１１０から取り外されるときに扉抜け防止金具３３０と係合し、扉抜け防止金具３３０が固定されない筐体１１０に取り付けられる係合取付部材を構成しており、扉取付金具３２０は、扉抜け防止金具３３０が取り付けられ、扉抜け防止金具３３０が固定される扉１２０に取り付けられる固定取付部材を構成している。
【００４５】
また、扉受け金具３１０は、図１３及び図１４に示すように、扉１２０（図９及び図１２参照）が開かれたときに扉取付金具３２０と係合することによって扉取付金具３２０に対して反発力３１０ａを発生させる位置に配置され、反発力３１０ａによって扉１２０の回転軸３１１を中心とした回転を規制する係合取付回転規制部としての回転規制部３１４と、扉１２０が開かれたときに扉取付金具３２０と係合することによって扉取付金具３２０に対して反発力３１０ａと方向が異なる反発力３１０ｂを発生させる位置に配置され、反発力３１０ｂによって扉１２０の回転軸３１１を中心とした回転を規制する係合取付回転規制部としての回転規制部３１５とを有している。
【００４６】
また、扉取付金具３２０は、扉１２０が開かれたときに扉受け金具３１０の回転規制部３１４と係合することによって扉受け金具３１０に対して反発力３１０ａと大きさが等しく向きが反対である反発力３２０ａを発生させる位置に配置され、反発力３２０ａによって扉１２０の回転軸３１１を中心とした回転を規制する固定取付回転規制部としての回転規制部３２６と、扉１２０が開かれたときに扉受け金具３１０の回転規制部３１５と係合することによって扉受け金具３１０に対して反発力３２０ａと方向が異なり、反発力３１０ｂと大きさが等しく向きが反対である反発力３２０ｂを発生させる位置に配置され、反発力３２０ｂによって扉１２０の回転軸３１１を中心とした回転を規制する固定取付回転規制部としての回転規制部３２７とを有している。
【００４７】
次に、本実施の形態に係る開閉装置の動作について説明する。
【００４８】
扉１２０は、次のようにして筐体１１０に取り付けられる。
【００４９】
まず、扉受け金具２１０及び扉受け金具３１０が筐体１１０に取り付けられ、扉取付金具２２０及び扉取付金具３２０も扉１２０に取り付けられる。
【００５０】
次いで、扉１２０が、扉受け金具２１０の回転軸２１１が扉取付金具２２０の軸受部２２１に挿入されるように、図８に示す状態から筐体１１０に対して矢印１２０ｅの示す方向に図７に示す状態まで移動させられる。
【００５１】
次いで、扉１２０が、図７に示す状態から筐体１１０に対して矢印１２０ｆの示す方向に図６に示す状態まで回転させられる。
【００５２】
次いで、扉１２０が、扉受け金具３１０の回転軸３１１が扉取付金具３２０の軸受部３２１に挿入されるように、図６に示す状態から筐体１１０に対して矢印１２０ａの示す方向に図５に示す状態まで移動させられる。
【００５３】
そして、扉抜け防止金具２３０が、図４において矢印２３０ａで示すように移動させられた後、扉取付金具２２０に図１に示すように取り付けられる。また、扉抜け防止金具３３０も、図１４において矢印３３０ａで示すように移動させられた後、扉取付金具３２０に図９に示すように取り付けられる。
【００５４】
ここで、扉抜け防止金具２３０及び扉抜け防止金具３３０は、扉１２０が矢印１２０ｂの示す方向に筐体１１０に対して移動させられるときに、扉受け金具２１０及び扉受け金具３１０と係合することによって、扉１２０が筐体１１０に対して移動することを防止する位置に配置されているので、以上のようにして筐体１１０に取り付けられた扉１２０に矢印１２０ｂ（図６参照）の示す方向の外力が加わったとしても、扉１２０は筐体１１０から取り外されることがない。
【００５５】
即ち、扉抜け防止金具２３０が扉１２０に対して扉取付金具２２０を介して固定されており、扉抜け防止金具３３０も扉１２０に対して扉取付金具３２０を介して固定されているので、扉１２０は、扉１２０とともに移動する扉抜け防止金具２３０及び扉抜け防止金具３３０が扉受け金具２１０及び扉受け金具３１０と係合する位置までしか筐体１１０に対して移動することができない。
【００５６】
また、扉１２０は、次のようにして筐体１１０から取り外される。
【００５７】
まず、扉抜け防止金具２３０及び扉抜け防止金具３３０が、取り付けられたときと反対の作業で扉取付金具２２０及び扉取付金具３２０から取り外される。
【００５８】
次いで、扉１２０が、扉受け金具３１０の回転軸３１１が扉取付金具３２０の軸受部３２１から取り出されるように、図５に示す状態から図６に示す状態まで筐体１１０に対して矢印１２０ｂの示す方向に移動させられる。
【００５９】
次いで、扉１２０が、図６に示す状態から図７に示す状態まで筐体１１０に対して矢印１２０ｃの示す方向に回転させられる。
【００６０】
次いで、扉１２０が、扉受け金具２１０の回転軸２１１が扉取付金具２２０の軸受部２２１から取り出されるように、図７に示す状態から図８に示す状態まで筐体１１０に対して矢印１２０ｄの示す方向に移動させられる。
【００６１】
なお、扉１２０を筐体１１０に再び取り付けるときのために、扉受け金具２１０及び扉受け金具３１０は筐体１１０に取り付けられたままにしておくと良い。同様に、扉取付金具２２０及び扉取付金具３２０も扉１２０に取り付けられたままにしておくと良い。
【００６２】
以上に説明したように、機器収納棚１００は、扉１２０が筐体１１０から取り外されるときに回転軸２１１及び回転軸３１１自体が取り外されなくても良いので、従来の機器収納棚と比較して、矢印２１１ａで示す回転軸２１１の延在方向や、矢印３１１ａで示す回転軸３１１の延在方向に必要な距離を小さくすることができる。
【００６３】
また、機器収納棚１００は、収納する機器に対して保守などの作業が行われるときに扉１２０が筐体１１０から取り外されることがあるが、従来の機器収納棚と比較して、矢印２１１ａで示す回転軸２１１の延在方向や、矢印３１１ａで示す回転軸３１１の延在方向に必要な距離を小さくすることができるので、従来の機器収納棚と比較して、床から天井までの距離が同一の空間に対して設置可能な大きさを大きくすることができる。
【００６４】
また、機器収納棚１００は、扉１２０が筐体１１０から取り外されるときに移動させられる矢印１２０ｂ（図６参照）の示す方向とは略反対方向である矢印１２０ａの示す方向に自重によって付勢されるように設置されているので、扉１２０が筐体１１０から取り外される場合に、扉抜け防止金具２３０及び扉抜け防止金具３３０が取り外されただけで扉１２０が筐体１１０から脱落してしまうことを防止することができる。
【００６５】
また、機器収納棚１００は、扉受け金具３１０が、方向が互いに異なる反発力３１０ａ及び反発力３１０ｂを発生させる２つの回転規制部３１４及び回転規制部３１５を有するので、扉受け金具３１０が一方向しか反発力を発生させずに扉１２０の回転軸２１１及び回転軸３１１を中心とした回転を規制する場合と比較して、扉受け金具３１０が反発力を大きな面積で発生させることができ、扉受け金具３１０が扉１２０の回転軸２１１及び回転軸３１１を中心とした回転を規制するときの扉受け金具３１０の変形量を少なくすることができる。したがって、機器収納棚１００は、扉受け金具３１０が扉１２０の回転軸２１１及び回転軸３１１を中心とした回転を規制した後も、扉１２０が筐体１１０から取り外されるのを防止するための、扉抜け防止金具３３０と扉受け金具３１０との係合を維持することができる。
【００６６】
同様に、機器収納棚１００は、扉取付金具３２０が、方向が互いに異なる反発力３２０ａ及び反発力３２０ｂを発生させる２つの回転規制部３２６及び回転規制部３２７を有するので、扉取付金具３２０が一方向しか反発力を発生させずに扉１２０の回転軸２１１及び回転軸３１１を中心とした回転を規制する場合と比較して、扉取付金具３２０が反発力を大きな面積で発生させることができ、扉取付金具３２０が扉１２０の回転軸２１１及び回転軸３１１を中心とした回転を規制するときの扉取付金具３２０の変形量を少なくすることができる。したがって、機器収納棚１００は、扉取付金具３２０が扉１２０の回転軸２１１及び回転軸３１１を中心とした回転を規制した後も、扉１２０が筐体１１０から取り外されるのを防止するための、扉取付金具３２０に取り付けられた扉抜け防止金具３３０と、扉受け金具３１０との係合を維持することができる。
【００６７】
また、機器収納棚１００は、扉抜け防止金具２３０が、筐体１１０の空間を閉じた状態での扉１２０の面１２３に略直交する矢印１２３ａの示す方向に挿入されるネジ２０５及びネジ２０６によって扉取付金具２２０に固定されるので、扉抜け防止金具２３０が矢印２１１ａの示す回転軸２１１の延在方向と略平行な方向に挿入される締結部材によって固定される場合と比較して、矢印２１１ａで示す回転軸２１１の延在方向に必要な距離を小さくすることができる。
【００６８】
例えば、機器収納棚１００は、図１５に示すように周囲に壁４１０があったとしても、扉１２０が開閉させられるために確保された空間４２０を使用して工具４３０によってネジ２０５及びネジ２０６の取り外しの作業が行われ、扉１２０が筐体１１０から取り外されることが可能である。
【００６９】
なお、機器収納棚１００は、扉抜け防止金具２３０が、筐体１１０の空間を閉じた状態での扉１２０の面１２３に略直交する矢印１２３ａの示す方向に挿入されるネジ２０５及びネジ２０６によって扉取付金具２２０に固定されていなくても、矢印２１１ａの示す回転軸２１１の延在方向と略直交する方向に挿入される締結部材によって扉取付金具２２０に固定されていれば、扉抜け防止金具２３０が矢印２１１ａの示す回転軸２１１の延在方向と略平行な方向に挿入される締結部材によって固定される場合と比較して、矢印２１１ａの示す回転軸２１１の延在方向に必要な距離を小さくすることができる。
【００７０】
例えば、機器収納棚１００は、扉抜け防止金具２３０が、矢印２１１ａの示す回転軸２１１の延在方向と略直交し、且つ、筐体１１０の空間を閉じた状態での扉１２０の面１２３に略平行な方向に挿入される締結部材によって扉取付金具２２０に固定されている場合、図１５に示す場合ほど容易ではないが、図１６に示すように工具４３０によってネジ２０５及びネジ２０６の取り外しの作業が行われ、扉１２０が筐体１１０から取り外されることが可能である。
【００７１】
なお、本発明によれば、扉抜け防止金具２３０が扉取付金具２２０を介さずに扉１２０に直接取り付けられていても良いが、機器収納棚１００は、本実施の形態において、扉抜け防止金具２３０が扉１２０に直接取り付けられずに、扉取付金具２２０を介して取り付けられるので、扉１２０ではなく扉取付金具２２０が、扉抜け防止金具２３０が取り付けられるための形状に形成されれば良く、扉抜け防止金具２３０が扉１２０に直接取り付けられる場合と比較して、扉１２０の形状を簡単にすることができる。
【００７２】
また、本発明によれば、扉１２０が筐体１１０から取り外されるときに扉抜け防止金具２３０が扉受け金具２１０を介さずに筐体１１０に直接係合するようになっていても良いが、機器収納棚１００は、本実施の形態において、扉１２０が筐体１１０から取り外されるときに扉抜け防止金具２３０が筐体１１０に直接係合せずに、扉受け金具２１０を介して係合するので、筐体１１０ではなく扉受け金具２１０が、扉抜け防止金具２３０が係合するための形状に形成されれば良く、扉抜け防止金具２３０が筐体１１０に直接係合する場合と比較して、筐体１１０の形状を簡単にすることができる。
【００７３】
以上においては、連結部２００について説明したが、連結部３００についても同様である。
【００７４】
なお、本実施の形態において、回転軸２１１及び回転軸３１１は、扉１２０に対して固定されていたが、本発明によれば、筐体１１０に対して固定されていても良い。また、本実施の形態において、扉抜け防止金具２３０及び扉抜け防止金具３３０も、扉１２０に対して固定されていたが、本発明によれば、筐体１１０に対して固定されていても良い。即ち、連結部は、回転軸が筐体１１０に対して固定され、固定部材が扉１２０に対して固定されていても良いし、回転軸が扉１２０に対して固定され、固定部材が筐体１１０に対して固定されていても良いし、回転軸及び固定部材がともに筐体１１０に対して固定されていても良い。
【００７５】
また、本実施の形態において、機器収納棚１００は、固定部材としての扉抜け防止金具２３０及び扉抜け防止金具３３０を備えた連結部２００及び連結部３００が、扉１２０の端部１２１側及び端部１２２側の両方に設けられていたが、本発明によれば、固定部材を備えた連結部が扉１２０の端部１２１側及び端部１２２側の一方に設けられているだけでも良い。例えば、機器収納棚１００は、扉１２０の端部１２１側に扉抜け防止金具２３０を除いた連結部２００が設けられ、端部１２２側に扉抜け防止金具３３０を備えた連結部３００が設けられるようにしても良い。
【００７６】
また、開閉装置は、本実施の形態において、開閉部材として扉を備えた機器収納棚であったが、本発明によれば、開閉部材として蓋を備えた機器や、開閉部材として扉を備えた建物などであっても良い。
【００７７】
【発明の効果】
以上説明したように、本発明によれば、従来と比較して回転軸の延在方向に必要な距離を小さくすることができる開閉装置を提供することができる。
【図面の簡単な説明】
【図１】本発明の一実施の形態に係る機器収納棚の一部分の外観斜視図
【図２】図１に示す部分の側面図
【図３】図１に示す部分の分解斜視図
【図４】図１に示す部分の図１に示す状態とは異なる状態での外観斜視図
【図５】図１に示す機器収納棚の全体の外観斜視図
【図６】図５に示す機器収納棚の側面図
【図７】図５に示す機器収納棚の図６に示す状態とは異なる状態での側面図
【図８】図５に示す機器収納棚の図６及び図７に示す状態とは異なる状態での側面図
【図９】図１に示す機器収納棚の図１とは異なる部分の外観斜視図
【図１０】図９に示す部分の側面図
【図１１】図９に示す部分の分解斜視図
【図１２】図９に示す部分の図９に示す状態とは異なる状態での外観斜視図
【図１３】図９に示す部分の更に一部分の外観斜視図
【図１４】（ａ）図１３に示す部分の正面図
（ｂ）図１３に示す部分の側面図
【図１５】図１に示す機器収納棚の上面図
【図１６】図１に示す機器収納棚の図１５に示す構成とは異なる構成での上面図
【図１７】従来の機器収納棚の一部分の外観斜視図
【図１８】図１７に示す機器収納棚の全体の外観斜視図
【符号の説明】
１００　　　機器収納棚（開閉装置）
１１０　　　筐体（空間形成部材）
１２０　　　扉（開閉部材）
１２１、１２２　　　端部
１２３　　　面
２００　　　連結部
２０５、２０６　　　ネジ（締結部材）
２１０　　　扉受け金具（係合取付部材）
２１１　　　回転軸
２２０　　　扉取付金具（固定取付部材）
２３０　　　扉抜け防止金具（固定部材）
３００　　　連結部
３０５、３０６　　　ネジ（締結部材）
３１０　　　扉受け金具（係合取付部材）
３１０ａ、３１０ｂ　　　反発力
３１１　　　回転軸
３１４、３１５　　　回転規制部（係合取付回転規制部）
３２０　　　扉取付金具（固定取付部材）
３２０ａ、３２０ｂ　　　反発力
３２６、３２７　　　回転規制部（固定取付回転規制部）
３３０　　　扉抜け防止金具（固定部材）
【図１】
2004092284.tif 000003
【図２】
2004092284.tif 000004
【図３】
2004092284.tif 000005
【図４】
2004092284.tif 000006
【図５】
2004092284.tif 000007
【図６】
2004092284.tif 000008
【図７】
2004092284.tif 000009
【図８】
2004092284.tif 000010
【図９】
2004092284.tif 000011
【図１０】
2004092284.tif 000012
【図１１】
2004092284.tif 000013
【図１２】
2004092284.tif 000014
【図１３】
2004092284.tif 000015
【図１４】
2004092284.tif 000016
【図１５】
2004092284.tif 000017
【図１６】
2004092284.tif 000018
【図１７】
2004092284.tif 000019
【図１８】
2004092284.tif 000020